(57)【要約】  【課題】  一方の画像読取手段が汚れや故障などによって読取が不可能な場合であっても、もう一方の画像読取手段によって両面を読取ことができる原稿読取装置を提供する。  【解決手段】  原稿搬送機構３に、原稿を第一または第二画像読取手段４，５による何れかの画像読取位置４０，５０に搬送した後に、原稿を表裏反転して再度画像読取位置に搬送する反転搬送機構６を備え、第一及び第二画像読取手段の双方で原稿を読み取る両面読取モードと、反転搬送機構６を作動させて第一及び第二画像読取手段の何れかの一方のみで原稿を読み取る片面読取モードに切替可能に構成し、片面読取モードで読み取られた原稿の画像情報をページ整合して出力するページ整合手段６を備える。  【選択図】  図１
2006148294.tif 000002
【特許請求の範囲】
【請求項１】
原稿の表面を読み取る第一画像読取手段と、前記原稿の裏面を実質的に同時に読み取る第二画像読取手段と、前記原稿を前記第一及び第二画像読取手段による画像読取位置に搬送する原稿搬送機構を備えた原稿読取装置であって、
前記原稿搬送機構に、前記原稿を前記第一または第二画像読取手段による何れかの画像読取位置に搬送した後に、前記原稿を表裏反転して再度前記画像読取位置に搬送する反転搬送機構を備え、前記第一及び第二画像読取手段の双方で原稿を読み取る両面読取モードと、前記反転搬送機構を作動させて前記第一及び第二画像読取手段の何れかの一方のみで原稿を読み取る片面読取モードに切替可能に構成してある原稿読取装置。
【請求項２】
前記片面読取モードで読み取られた原稿の画像情報をページ整合して出力するページ整合手段を設けてある請求項１記載の原稿読取装置。
【請求項３】
前記ページ整合手段は、前記画像情報を蓄積するメモリ手段と、前記メモリ手段に記憶された画像情報の出力順序を制御するメモリ管理手段を備えて構成してある請求項２記載の原稿読取装置。
【請求項４】
前記ページ整合手段は、前記原稿搬送機構に設けた前記反転搬送機構を作動させて原稿を反転搬送する反転制御手段で構成してある請求項２記載の原稿読取装置。
【請求項５】
前記ページ整合手段は、前記画像情報にページ情報を付加して出力するページ情報付加手段で構成してある請求項２記載の原稿読取装置。
【請求項６】
前記ページ情報が付加された画像情報を受け取り、ページを整合して印刷出力する画像形成手段を設けてある請求項５記載の原稿読取装置。
【請求項７】
前記原稿が片面または両面の何れであるかを判別する原稿判別手段を備え、前記片面読取モードで、且つ、前記第二画像読取手段で前記原稿を読み取るときに、前記原稿判別手段により片面原稿であると判別されると、前記反転搬送機構を作動させて前記原稿を読み取る請求項１記載の原稿読取装置。
【請求項８】
前記原稿が片面または両面の何れであるかを判別する原稿判別手段を備え、前記片面読取モードで、前記原稿を読み取るときに、前記原稿判別手段により片面原稿であると判別されると、前記原稿のセット方向を表示する案内表示手段を設けてある請求項１記載の原稿読取装置。
【発明の詳細な説明】
【技術分野】
【０００１】
本発明は、原稿の表面を読み取る第一画像読取手段と、前記原稿の裏面を実質的に同時に読み取る第二画像読取手段と、前記原稿を前記第一及び第二画像読取手段による画像読取位置に搬送する原稿搬送機構を備えた原稿読取装置に関する。
【背景技術】
【０００２】
従来、外部装置と接続される画像読取装置であって、原稿の第１面を読み取る第１の画像読取手段と、第１の画像読取手段による原稿の第１面の読取りと実質的に同時に、原稿の第２面を読み取る第２の画像読取手段と、各画像読取手段で読み取った画像データを外部装置に送出する送出手段と、を備えた原稿読取装置が提案されている。
【特許文献１】特開２０００−１８８６６５号公報
【発明の開示】
【発明が解決しようとする課題】
【０００３】
しかし、前記原稿読取装置は第２の画像読取手段の読取能力を第１の画像読取手段の読取能力よりも低くしたことを特徴とするものであったために、所望の読取品質が第二の画像読取手段の読取能力を超える場合には両面同時読取を行うことが出来なかった。
【０００４】
また、第二の画像読取手段が故障等により読取が不可能になった場合に、原稿反転給紙手段により原稿を反転給紙して表面と裏面の両方を第一の画像読取手段に読み取らせることで所望の読取能力で両面を読み取ることが可能であるが、第一の画像読取手段が故障等により読取が不可能になった場合には、最早所望の読取能力では原稿読取を行うことが出来なかった。
【０００５】
本発明は、上述の従来欠点に鑑み、一方の画像読取手段が汚れや故障などによって読取が不可能となった場合であっても、もう一方の画像読取手段によって原稿の両面を読取ことができる原稿読取装置を提供する点にある。
【課題を解決するための手段】
【０００６】
上述の目的を達成するため、本発明による原稿読取装置の第一の特徴構成は、特許請求の範囲の書類の請求項１に記載した通り、原稿の表面を読み取る第一画像読取手段と、前記原稿の裏面を実質的に同時に読み取る第二画像読取手段と、前記原稿を前記第一及び第二画像読取手段による画像読取位置に搬送する原稿搬送機構を備えた原稿読取装置であって、前記原稿搬送機構に、前記原稿を前記第一または第二画像読取手段による何れかの画像読取位置に搬送した後に、前記原稿を表裏反転して再度前記画像読取位置に搬送する反転搬送機構を備え、前記第一及び第二画像読取手段の双方で原稿を読み取る両面読取モードと、前記反転搬送機構を作動させて前記第一及び第二画像読取手段の何れかの一方のみで原稿を読み取る片面読取モードに切替可能に構成している点にある。
【０００７】
上述の構成によれば、原稿の両面を読み取る場合に、何れか一方の画像読取手段が故障等により読取が出来なくなった場合でも、もう一方の画像読取手段が利用可能な場合にはその画像読取手段のみで原稿の両面の読取を行うことができ、一方の画像読取手段が修理されるまでの間であっても原稿の両面を読み取ることが可能になるのである。
【０００８】
同第二の特徴構成は、同請求項２に記載した通り、上述した第一の特徴構成に加えて、前記片面読取モードで読み取られた原稿の画像情報をページ整合して出力するページ整合手段を設けてある点にある。
【０００９】
両面原稿を片面読取モードで読み取る場合には、何れの画像読取手段で原稿の表裏の何れから読み取るのかという原稿の表裏の読取順序によっては、ページ順序が前後する場合が生じる。そこで、ページ整合手段を設けることにより、読取順序が前後してもページ順に整合されて出力されるようになるのである。
【００１０】
同第三の特徴構成は、同請求項３に記載した通り、上述した第二の特徴構成に加えて、前記ページ整合手段は、前記画像情報を蓄積するメモリ手段と、前記メモリ手段に記憶された画像情報の出力順序を制御するメモリ管理手段を備えて構成してあることが好ましく、これにより、原稿の表裏の読取順序にかかわらず、ページ順に出力することが可能になるのである。
【００１１】
同第四の特徴構成は、同請求項４に記載した通り、上述した第二の特徴構成に加えて、前記ページ整合手段は、前記原稿搬送機構に設けた前記反転搬送機構を作動させて原稿を反転搬送する反転制御手段で構成してあることが好ましく、何れの画像読取手段で両面原稿を読み取るのかに基づいて、反転搬送機構により原稿の表裏の読取順序を異ならせてページを整合させることができるようになるのである。
【００１２】
同第五の特徴構成は、同請求項５に記載した通り、上述した第二の特徴構成に加えて、前記ページ整合手段は、前記画像情報にページ情報を付加して出力するページ情報付加手段で構成してあることが好ましく、これにより、画像情報の受信先がページ情報に基づいてページが整合するように所要の処理を行なうことが可能になるのである。
【００１３】
同第六の特徴構成は、同請求項６に記載した通り、上述した第五の特徴構成に加えて、前記ページ情報が付加された画像情報を受け取り、ページを整合して印刷出力する画像形成手段を設けてあることが好ましく、原稿に対応するページ情報に基づいて画像形成手段によりページを整合した状態で出力されるようになるのである。
【００１４】
同第七の特徴構成は、同請求項７に記載した通り、上述した第一の特徴構成に加えて、前記原稿が片面または両面の何れであるかを判別する原稿判別手段を備え、前記片面読取モードで、且つ、前記第二画像読取手段で前記原稿を読み取るときに、前記原稿判別手段により片面原稿であると判別されると、前記反転搬送機構を作動させて前記原稿を読み取ることが好ましく、これにより片面原稿の原稿面をページ順に正確に読み取ることができるようになる。
【００１５】
同第八の特徴構成は、同請求項８に記載した通り、上述した第一の特徴構成に加えて、前記片面読取モードで前記原稿を読み取るときに、前記原稿のセット方向を表示する案内表示手段を設けてあることが好ましく、この場合には、案内表示に従って原稿がセットされるので、反転搬送機構により反転搬送することなく効率的に原稿を読み取ることができるようになるのである。
【発明の効果】
【００１６】
以上説明した通り、本発明によれば、一方の画像読取手段が汚れや故障などによって読取が不可能な場合であっても、もう一方の画像読取手段によって両面を読取ことができる原稿読取装置を提供することができるようになった。
【発明を実施するための最良の形態】
【００１７】
以下、本発明による原稿読取装置が複写機に搭載された場合について説明する。前記複写機は前記原稿読取装置と静電転写方式の画像形成装置（画像形成手段）とから構成され、図１に示すように、原稿読取装置１は原稿Ｄを載置する原稿テーブル２と、原稿を画像読取位置４０，５０に搬送し、読み取った原稿を排出する原稿搬送機構３と、原稿の表面を読み取る第一画像読取手段４と、原稿の裏面を読み取る第二画像読取手段５と、不図示の操作表示部を備えて構成される。
【００１８】
前記原稿搬送機構３は複数の原稿から一枚の原稿を取り出すピックアップローラ３１と、前記ピックアップローラ３１により原稿が重送された場合に一枚に分離する分離ローラ３２と、分離された原稿を下流側に搬送する給紙ローラ３３と、原稿の先端を整えて画像読取位置４０，５０に搬送するレジストローラ３４と、読み取られた原稿を排出する排紙ローラ３５と、排紙された原稿を収容する排紙トレイ３６と、原稿を表裏反転して再度画像読取位置４０，５０に搬送する反転搬送機構６で構成される。
【００１９】
前記第一画像読取手段４は、原稿を照明する第一光源４１と、原稿からの反射光を取り込む第一ミラー４２と、第二ミラー４３と、第三ミラー４４と、前記第三ミラー４４からの光線束をリニアＣＣＤ（第一ＣＣＤ）４６に合焦させるレンズ４７と、画像情報を読み取る第一ＣＣＤ４６を備えて構成され、コンタクトガラス３７上の第一画像読取位置４０で原稿の画像情報を読み取る。
【００２０】
上述の画像読取装置は、原稿載置用のコンタクトガラス３８に原稿が載置されるときには、前記第一光源４１、ミラー４２、４３、４４が原稿の先端側から後端側に走査（副走査）して前記第一画像読取手段４により原稿の画像情報を読取るミラー走査モードで作動し、前記原稿搬送機構３により原稿が搬送されるときには、前記第一光源４１、ミラー４２、４３、４４が図中実線で示された位置に固定され、前記原稿搬送機構３により搬送（副走査）される原稿の画像情報を前記第一画像読取手段４または前記第二画像読取手段５により読取るシートスルーモードで作動するように切替可能に構成されている。
【００２１】
前記第二画像読取手段５は、原稿の幅方向に沿って配置されたセルフォックレンズとセルフォックレンズの上端に配置されたリニアＣＣＤ（第二ＣＣＤ）と原稿を照射する第二光源を備えてなる密着型の読取手段で構成され、前記コンタクトガラス３７上の第二画像読取位置５０で原稿の画像情報を読み取る。ここに、前記第一画像読取手段４と同等の解像度で且つ双方ともカラー読取可能に構成されている。
【００２２】
前記反転搬送機構６は、原稿を前記画像読取位置４０、５０から中間トレイ６４と前記排紙トレイ３６の何れかに切替え案内する第一分岐爪６１と、前記中間トレイ６４への原稿の出入りを切替え案内する第二分岐爪６２と、原稿を前記中間トレイ６４に搬送する中間ローラ６３と、原稿を表裏反転するため一時的に収容する前記中間トレイ６４を備えて構成される。
【００２３】
前記第一分岐爪６１はソレノイドが接続され、図３に示すように、ソレノイドを駆動することで前記画像読取位置４０、５０の原稿を前記排紙トレイ３６に案内する第一位置と、ソレノイドの駆動を停止することで前記中間トレイ６４に案内する第二位置とに切替え可能に構成される。
【００２４】
前記第二分岐爪６２はソレノイドが接続され、図３に示すように、ソレノイドを駆動することで原稿を前記画像読取位置４０、５０から前記中間トレイ６４に案内する第二位置と、ソレノイドの駆動を停止して逆転駆動される中間ローラ６３により原稿を前記中間トレイ６４から前記給紙ローラ３３に案内する第一位置とに切替え可能に構成される。
【００２５】
図２に示すように、前記原稿読取装置の制御部はＣＰＵ７と、前記ＣＰＵ７により実行される制御プログラムが格納されたＲＯＭ８と、ワーキングエリアとして利用されるＲＡＭ９と、上述した各種ローラやミラー等を駆動するモータ等に対する制御信号を出力する駆動信号出力部１０と、前記第一ＣＣＤ４６に対する制御信号を出力する第一画像制御信号出力部４５と、前記第一ＣＣＤ４６の画像情報を補正（シェーディング補正や地肌補正等）する第一補正処理部４７と、前記第二ＣＣＤ５２に対する制御信号を出力する第二画像信号出力部５３と、前記第二ＣＣＤ５２の画像情報を補正（シェーディング補正や地肌補正等）する第二補正処理部５３と、第一分岐爪ソレノイド６１ａと、第二分岐爪ソレノイド６２ａからなり、前記ＣＰＵ７のシリアル信号ポートが画像形成手段の制御部１００と接続されている。
【００２６】
前記原稿読取装置１の制御プログラムに基づいてＣＰＵ７は、原稿が原稿テーブル２に載置されたときにはシートスルーモードで動作し、原稿がコンタクトガラス３８に載置されたときにはミラースキャンモードで動作するように切替制御されるように構成されている。以下、シートスルーモードで動作する場合の詳細を説明する。
【００２７】
前記ＣＰＵ７は、シートスルーモードで動作する場合、前記第一画像読取手段４及び前記第二画像読取手段５の双方で実質的に同時に原稿を読み取る両面読取モードと、前記反転搬送機構６を作動させて前記第一画像読取手段４及び前記第二画像読取手段５の何れか一方のみで原稿の両面を読み取る片面読取モードに切替可能に構成され、両面原稿を読み取る場合に、何れかの画像読取手段４，５が正常に作動しない場合には片面読取モードで作動し、双方の画像読取手段４，５が正常に作動する場合には両面読取モードで作動するように構成されている。ここに、何れかの画像読取手段４，５が正常に作動しない場合とは、一方の読取位置に塵等が付着して読取画像に黒筋が現われる場合や、一方の画像読取手段が故障している場合であって、他方の画像読取手段が正常に作動する場合をいう。
【００２８】
前記両面読取モードにより原稿の両面を同時に読取する場合には、原稿読取装置１の前記原稿テーブル２に標準状態で表面を上にして原稿がセットされる。複数の原稿が載置されると、最上部の一枚目の原稿から順に前記ピックアップローラ３１、前記分離ローラ３２、前記給紙ローラ３３、前記レジストローラ３４により前記画像読取位置４０、５０に搬送される。
【００２９】
前記第一画像読取手段４により原稿の表面の画像が読み取られ、前記第二画像読取手段５により原稿の裏面の画像が実質的に同時に読み取られる。読み取られた原稿は前記排紙ローラ３５により搬送され表面を下にして前記排紙トレイ３６に排出される。
【００３０】
読み取られた画像データは表面、裏面の順で読取順に前記画像形成手段に転送され、その画像データに基づいて記録紙の両面または片面に画像が形成され、一枚目の複写動作が完了する。二枚目以降も同様の複写動作が行われ最終原稿まで連続して行われ、一連の複写動作が完了する。
【００３１】
前記片面読取モードで前記第一画像読取手段４のみにより、原稿の両面が読み取られる場合には、図５のフローチャートに示すように作動する。原稿の表面を上にして前記原稿テーブル２に複数の原稿が載置されると（Ｓ１）、最上部の一枚目の原稿から順に給紙されて読取が行われる。原稿は前記ピックアップローラ３１、前記分離ローラ３２、前記給紙ローラ３３、前記レジストローラ３４により前記第一画像読取位置４０に搬送され、前記第一画像読取手段４により原稿の表面が読み取られた後（Ｓ２）、前記中間ローラ６３により原稿の表面を下にして前記中間トレイ６４に一時的に収容される（Ｓ３）。
【００３２】
前記中間トレイ６４の原稿は、前記中間ローラ６３、前記給紙ローラ３３、前記レジストローラ３４により再び前記第一画像読取位置４０に搬送され前記第一画像読取手段４により原稿の裏面が読み取られ（Ｓ４）、前記中間ローラ６３により原稿の表面が上になって前記中間トレイ６４に一時的に収容される（Ｓ５）。
【００３３】
前記中間ローラ６３、前記給紙ローラ３３、前記レジストローラ３４、前記排紙ローラ３５により原稿の表面を下にして排紙トレイ３６に排出され（Ｓ６）、一枚目の原稿の読み取りが完了する。二枚目以降も同様の読取動作が連続して行われ最終原稿まで読み取られる。
【００３４】
次に、前記片面読取モードで前記第二画像読取手段５のみによる両面読取動作を図６に基づいて説明する。原稿の表面を上にして前記原稿テーブル２に複数の原稿が載置されると（Ｓ１）、最上部の一枚目の原稿から順に給紙され読取が行われる。原稿は前記ピックアップローラ３１、前記分離ローラ３２、前記給紙ローラ３３、前記レジストローラ３４、前記中間ローラ６３により搬送され前記中間トレイ６４に一時的に原稿の表面を下にして収容された後（Ｓ２）、前記中間ローラ６３、前記給紙ローラ３３、前記レジストローラ３４により前記第二画像読取位置５０に搬送され、原稿の表面が前記第二画像読取手段５に読み取られ（Ｓ３）、前記中間ローラ６３により原稿表面が上になって前記中間トレイ６４に一時的に収容される（Ｓ４）。
【００３５】
前記中間トレイ６４の原稿は、前記中間ローラ６３、前記給紙ローラ３３、前記レジストローラ３４により前記第二画像読取位置５０に搬送され原稿の裏面が前記第二画像読取手段５に読み取られ（Ｓ５）、前記排紙ローラ３５により原稿の表面を下にして前記排紙トレイ３６に排出され（Ｓ６）、一枚目の原稿の読み取りが完了する。二枚目以降も同様の読取動作が連続して行われ最終原稿まで読み取られる。
【００３６】
このようにして、前記第二画像読取手段５により両面原稿が読み取られる場合には、前記反転搬送機構６により先ず原稿を反転させて表面から読み取ることにより、読み取られた画像の順序を整合するように構成される。片面読取モードで読み取られた原稿の画像情報をページ整合して出力するページ整合手段が、前記原稿搬送機構に設けた前記反転搬送機構を作動させて原稿を反転搬送する反転制御手段で構成されることになる。
【００３７】
さらに、前記原稿読取装置１には、原稿が片面又は両面の何れであるかを判別する原稿判別手段が備えられ、判別された原稿種類に基づいて読み取られた原稿のページが整合するように構成されている。本実施形態では、前記原稿判別手段が、前記操作表示部に設けられた原稿が片面であるか両面であるかを選択する原稿種類キーで構成されているものを説明するが、何れかの画像読取手段４，５で原稿を読み取り、原稿情報の有無で片面原稿であるか両面原稿であるかを判別するように構成するものであってもよい。
【００３８】
前記操作表示部で設定された原稿種類キーにより片面原稿であると判別された場合で、前記第一画像読取手段４により原稿が読み取られる場合を説明する。原稿の表面を上にして前記原稿テーブル２に複数の原稿が載置されると、最上部の一枚目の原稿から順に前記ピックアップローラ３１、前記分離ローラ３２、前記給紙ローラ３４、前記レジストローラ３４により前記第一画像読取位置４０に搬送される。
【００３９】
前記第一画像読取位置４０では前記第一画像読取手段４により原稿の表面が読み取られ、前記排紙ローラ３５により前記排紙トレイ３６に表面を下にして排出される。
【００４０】
読み取られた画像データは前記画像形成手段に転送され、その画像データに基づいて画像が形成され、一枚目の複写動作が完了する。二枚目以降も同様の複写動作が行われ最終原稿まで連続して行われ、一連の複写動作が完了する。
【００４１】
前記原稿判別手段により原稿が片面原稿であると判別された場合で、前記第二画像読取手段５により原稿が読み取られる場合を説明する。
【００４２】
図４に示すように、原稿の表面を上にして前記原稿テーブル２に複数の原稿が載置されると（Ｓ１）、最上部の一枚目の原稿から順に前記ピックアップローラ３１、前記分離ローラ３２、前記給紙ローラ３３、前記レジストローラ３４、前記中間ローラ６３により前記中間トレイ６４に搬送される（Ｓ２）。このとき前記第一分岐爪６１は第二位置に切替えられ、前記第二分岐爪６２は第二位置に切替えられており、原稿が前記中間トレイ６４に案内される。原稿は表面を下にして前記中間ローラ６３に後端が挟持された状態で前記中間トレイ６４に一時的に収納されている。これら前記反転搬送機構６の作動により原稿の表裏が反転する。
【００４３】
次に、前記第二分岐爪６２は第一位置に切替えられ、前記中間トレイ６４の原稿は前記中間ローラ６３、前記給紙ローラ３３、前記レジストローラ３４により前記第二画像読取位置５０に搬送される。原稿の表面が上部になった状態で前記第二画像読取位置５０を通過し前記第二画像読取手段５により画像が読み取られる（Ｓ３）。
【００４４】
前記第一分岐爪６１は第一位置に、前記第二分岐爪６２は第二位置に切替えられ、読み取られた原稿は、前記中間トレイ６４に搬送された後（Ｓ４）、前記第二分岐爪６２が第一位置に切替えられ、前記中間ローラ６３、前記給紙ローラ３３、前記レジストローラ３４、前記排紙ローラ３５により原稿表面を下にして前記排紙トレイ３６に排出される（Ｓ５）。このようにして、原稿の表面が順番に読み取られるのである。
【００４５】
以下に別実施の形態を説明する。上述した実施形態では片面読取モードで作動するページ整合手段が原稿搬送機構３に設けた反転搬送機構６を作動させて原稿を反転搬送する反転制御手段（前記制御プログラムの一部及びそのプログラムを実行するＣＰＵで構成される。）により構成されるものを説明したが、ページ整合手段としては、画像情報を蓄積するメモリ手段と、前記メモリ手段に記憶された画像情報の出力順序を制御するメモリ管理手段を備えて構成されるものであっても良い。この場合には、図２に示す制御部に少なくとも最大原稿サイズの二ページ分のページメモリがメモリ手段として設けられ、前記ページメモリに格納された二ページの原稿画像の読出し順序を制御するプログラム（前記ＲＯＭに格納される）または、メモリアクセス回路（ＡＳＩＣ等で構成される）によりメモリ管理手段が構成される。
【００４６】
以下に詳述する。前記片面読取モードで前記第二画像読取手段５により両面の読取が行われる場合、図７のフローチャートに示すように、原稿の表面を上にして前記原稿テーブル２に複数の原稿が載置されると（Ｓ１）、最上部の一枚目の原稿から順に前記ピックアップローラ３１、前記分離ローラ３２、前記給紙ローラ３３、前記レジストローラ３４により前記第二画像読取位置５０に搬送され、原稿の裏面が読み取られる（Ｓ２）。読み取られた画像情報（二ページ目）は前記メモリ手段に格納される（Ｓ３）。前記中間ローラ６３により原稿の裏面を上にして前記中間トレイ６４に一時的に収容された後（Ｓ４）、原稿は前記中間ローラ６３、前記給紙ローラ３３、前記レジストローラ３４により前記第二画像読取位置５０に搬送され原稿の表面が読み取られる（Ｓ５）。読み取られた画像情報（一ページ目）が前記メモリ手段に格納される（Ｓ６）。
【００４７】
読み取られた画像情報が前記画像形成手段に出力される際に、前記メモリ管理手段により画像情報の出力順序が制御される。即ち、前記メモリ手段に裏面、表面の順序（二ページ、一ページの順序）で格納された画像情報が表面、裏面の順序（一ページ、二ページの順序）で前記画像形成手段に出力され、その順序で画像の形成が行われるのである。ページメモリの容量は少なくとも最大原稿サイズの二ページ分の容量があればよく、それ以上の容量であってもよい。また、ページメモリは半導体メモリで構成されるものに限るものではなく、ハードディスクなどの大容量のストレージデバイスを備えて構成されるものであってもよい。
【００４８】
また、前記ページ整合手段が、読み取られた画像情報にページ情報を付加して出力するページ情報付加手段で構成されるものであってもよい。この場合、以下に詳述するように、前記画像形成手段は、前記原稿読取装置からページ情報が付加された画像情報を受け取り、ページ情報に基づいてページを整合して印刷出力することが可能になる。
【００４９】
前記片面読取モードで前記第二画像読取手段５により原稿の両面を読み取り複写動作を行う場合について、図８のフローチャートに基づいて説明する。前記原稿テーブル２に表面を上にして原稿が載置されると（Ｓ１）、原稿の最上部の一枚目の原稿から順に読取が行われ、原稿は前記第二画像読取位置５０に搬送され、先ず原稿の裏面が読み取られる（Ｓ２）。読み取られた画像情報は、その画像情報が原稿の裏面であるというページ情報が付加され（Ｓ３）、前記画像形成手段に転送される（Ｓ４）。
【００５０】
原稿は前記中間トレイ６４に搬送され（Ｓ５）、一時的に収容された後、前記第二画像読取位置５０に再び搬送され原稿の表面が読み取られる（Ｓ６）。読み取られた画像情報は、その画像情報が原稿の表面であるというページ情報が付加され（Ｓ７）、前記画像形成手段に転送される（Ｓ８）。前記画像形成手段は両面複写する場合には、原稿の表面であるというページ情報を持つ画像情報を表面として画像を形成し、裏面であるというページ情報を持つ画像情報を裏面として画像を形成し（Ｓ９）、一枚目の複写動作が完了する。以降、二枚目から最終原稿まで同様の動作が繰り返され全原稿の複写が行われる。
【００５１】
上述した実施形態では、前記原稿判別手段により原稿が片面原稿であると判別された場合には、前記第一画像読取手段４、前記第二画像読取手段５の何れで読取を行うかに拘わらず原稿のセット方向を標準状態である表面を上にして、ページ整合手段としての前記反転搬送機構６を作動させてページを整合するものであったが、前記原稿判別手段により原稿が片面原稿であると判別された場合に、前記原稿読取装置１に原稿のセット方向を表示する案内表示手段を設けるものであっても良い。
【００５２】
詳述すると、前記第一画像読取手段４のみが利用可能な場合には、前記案内表示手段により、原稿の表面を上にして原稿をセットするよう操作表示部にメッセージ表示を行い、前記第二画像読取手段５のみが利用可能な場合には、前記案内表示手段により原稿の表面を下にして原稿をセットするようメッセージ表示を行なうように構成されるものである。このように、セット方向を案内通りに行うことで、前記反転搬送機構６を作動せずに高速で読取を行うことができるようになる。
【００５３】
上述した実施形態では、本発明による原稿読取装置を画像形成手段と組み合わせて複写機として構成したものを例に説明したが、原稿読取装置単独で構成されるものや、原稿読取装置にファクシミリ機能を備えたものであっても同様である。
【図面の簡単な説明】
【００５４】
【図１】原稿読取装置の断面図
【図２】原稿読取装置の制御部のブロック構成図
【図３】第一分岐爪、第二分岐爪を説明する図
【図４】フローチャート
【図５】フローチャート
【図６】フローチャート
【図７】フローチャート
【図８】フローチャート
【符号の説明】
【００５５】
１：原稿読取装置
３：原稿搬送機構
４：第一画像読取手段
５：第二画像読取手段
６：反転搬送機構
【図１】
2006148294.tif 000003
【図２】
2006148294.tif 000004
【図３】
2006148294.tif 000005
【図４】
2006148294.tif 000006
【図５】
2006148294.tif 000007
【図６】
2006148294.tif 000008
【図７】
2006148294.tif 000009
【図８】
2006148294.tif 000010